(57)【要約】  【課題】ハンガーを着脱可能に装着可能な椅子において、ハンガーの取り付け作業を容易に行えるようにするとともに、設計の自由度を確保する。  【解決手段】上端側に分岐桿部５１ａ２を有した背支桿５１と、この背支桿５１に着脱可能に装着されるハンガー９とを備えた椅子において、前記ハンガー９に、前記両分岐桿部５１ａ２の頂部間に架設されるベース９１と、このベース９１の前記各分岐桿部５１ａ２に対してオフセットした部位に起立させて設けた支柱９２と、前記支柱９２に支持されたハンガー本体９３とを備える構成を採用する。  【選択図】図３
2010063824.tif 000002
【特許請求の範囲】
【請求項１】
上端側に分岐桿部を有した背支桿と、この背支桿に着脱可能に装着されるハンガーとを備えた椅子であって、前記ハンガーが、前記両分岐桿部の頂部間に架設されるベースと、このベースの前記各分岐桿部に対してオフセットした部位に起立させて設けた支柱と、前記支柱に支持されたハンガー本体とを備えたものであることを特徴とする椅子。
【請求項２】
前記ベースが、前記両分岐桿部の頂部に載せられるベース本体と、ベース本体から下方に延伸して設けられ前記各分岐桿部の背面に沿って垂下する隠蔽片とを備えたものであり、前記ベース本体が前記背支桿の両分岐桿部に取付具を介して取り付けられている請求項１記載の椅子。
【請求項３】
前記背支桿の両分岐桿部が略直線状に起立する形態をなしており、前記ハンガーの支柱を前記分岐桿部に対して後傾させてある請求項１又は２記載の椅子。
【請求項４】
前記背支桿の両分岐桿部に弾性横桿の中間部二箇所を枢軸を用いて取り付け、この弾性横桿を介して背板を前記背支桿に支持させるようにしたものであって、前記各枢軸の上端を前記各分岐桿部の頂部にそれぞれ露出させ得るように構成し、この枢軸を利用して前記ハンガーのベースを前記両分岐桿部に取り付けるようにしている請求項１、２又は３記載の椅子。
【請求項５】
ハンガーのベースの下面に、前記両分岐桿部の上端に設けた凹み領域に係り合うことによりハンガーの両分岐桿部に対する位置決めが可能な突起を設けている請求項１、２、３又は４記載の椅子。
【発明の詳細な説明】
【技術分野】
【０００１】
本発明は、背支桿に着脱可能に装着されるハンガーを備えた椅子に関する。
【背景技術】
【０００２】
従来、自席でデスクワークを行う際に、上着を脱いで自分の椅子の背凭れに掛けるということが行われていたが、その際に袖や裾が床にこすれて汚れる等の不具合が生じていた。これを解決するために、上着を掛けるためのハンガー部を背凭れに取り付けた椅子が種々知られている。このような椅子の一例として、背凭れの背面に支持部材を介してハンガーを取り付けるようにしているものが挙げられる（例えば、特許文献１を参照）。前記特許文献１記載の椅子は、支持部材が、背凭れの背面に取り付けられる本体と、この本体の後方に設けられる蓋部材とにより形成され、前記本体と前記蓋部材との間にハンガーを配して支持する構成を有する。
【特許文献１】特開２００４−１５９７４７公報
【発明の開示】
【発明が解決しようとする課題】
【０００３】
ところで、特許文献１記載の構成の椅子においては、ハンガーを用いる態様と用いない態様との双方に対応すべく、ハンガーを背凭れに対して着脱可能にしている。このハンガーの取り付けに際しては、本体部材に設けた溝部にハンガーの支柱を嵌め込み、その後本体部材の後方に蓋部材を取り付けるという作業を必要とする。また、ハンガーの取り外しに際しては、前記蓋部材を取り外す作業を必要とする。
【０００４】
しかし、このような構成では、ハンガーの着脱の際に手間がかかると感じられる場合があるという不具合が存在する。
【０００５】
本発明はこのような課題を解決すること、すなわちハンガーの着脱を容易にすることを目的とする。
【課題を解決するための手段】
【０００６】
すなわち本発明に係る椅子は、前記課題を解決すべく、上端側に分岐桿部を有した背支桿と、この背支桿に着脱可能に装着されるハンガーとを備えた椅子であって、前記ハンガーが、前記両分岐桿部の頂部間に架設されるベースと、このベースの前記各分岐桿部に対してオフセットした部位に起立させて設けた支柱と、前記支柱に支持されたハンガー本体とを備えたものであることを特徴とする。
【０００７】
このようなものであれば、前記ベースの前記各分岐桿部に対してオフセットした部位に支柱を起立させて設けているので、前記両分岐桿部の頂部の真上からベースにアクセス可能であり、この領域に前記両分岐桿部と該ベースとを接続するための取付部を設けることができる。なお、本発明において、「ベースの前記各分岐桿部に対してオフセットした部位」とは、前記各分岐桿部から幅方向にオフセットした部位、前記各分岐桿部から前後方向にオフセットした部位、及び前記各分岐桿部から幅方向及び前後方向にオフセットした部位の全てを含む概念である。
【０００８】
このような椅子の外観を整えるには、前記ベースが、前記両分岐桿部の頂部に載せられるベース本体と、ベース本体から下方に延伸して設けられ前記各分岐桿部の背面に沿って垂下する隠蔽片とを備えたものであり、前記ベース本体が前記背支桿の両分岐桿部に取付具を介して取り付けられているものが望ましい。このようなものであれば、ハンガーと背支桿との接合部分を隠蔽片により隠蔽できるからである。また、このような隠蔽片の強度を高くすれば、ハンガー本体に衣類を掛けた場合に衣類の荷重によりハンガー支柱が後傾する作用を受けた場合であっても、この隠蔽片が各分岐桿部の背面に衝き当たることによりハンガーの後傾を防ぐことができ、このようなハンガーにより衣類を安定して保持できる。
【０００９】
また、このようなハンガーを安定して背支桿に取り付けるようにしつつ、ハンガー本体を背支桿から後方にオフセットした状態に取り付けるようにするための態様として、前記背支桿の両分岐桿部が略直線状に起立する形態をなしており、前記ハンガーの支柱を前記分岐桿部に対して後傾させてあるものが挙げられる。
【００１０】
そして、前記背支桿の両分岐桿部に弾性横桿の中間部二箇所を枢軸を用いて取り付け、この弾性横桿を介して背板を前記背支桿に支持させるようにしたものにおいて、ハンガーの取り付けをより容易に行えるようにするためには、前記各枢軸の上端を前記各分岐桿部の頂部にそれぞれ露出させ得るように構成し、この枢軸を利用して前記ハンガーのベースを前記両分岐桿部に取り付けるようにしているものが望ましい。
【００１１】
加えて、ハンガーの取り付け作業を容易に行うようにするための構成として、ハンガーのベースの下面に、前記両分岐桿部の上端に設けた凹み領域に係り合うことによりハンガーの両分岐桿部に対する位置決めが可能な突起を設けているものが挙げられる。
【発明の効果】
【００１２】
本発明に係る椅子の構成によれば、ハンガーの支柱をベースの前記各分岐桿部に対してオフセットした部位に起立させて設け、前記両分岐桿部の頂部の真上からベースにアクセス可能にしているので、この領域に前記両分岐桿部と該ベースとを接続するための取付部を設け、このハンガーの取り付け作業を容易に行うことができるとともに、設計の自由度を確保できる。
【発明を実施するための最良の形態】
【００１３】
以下、本発明をシンクロチルト式の事務用回転椅子１００に適用した場合の一実施形態につき、図面を参照して説明する。
【００１４】
この椅子１００は、図１〜図３に示すように、脚１と、この脚１の上部に支持され水平旋回可能な支持基部２と、この支持基部２の上に配された座受３と、この座受３に保持された座４と、前記支持基部２に後傾動作可能に設けられた背支持体５と、この背支持体５に取り付けられた背凭れ６とを具備してなる。
【００１５】
前記脚１は、脚ベース１１と、脚ベース１１の中心部に設けられた脚支柱１２とを備えてなる。前記脚ベース１１は、中心部に設けたハブ１１ａから脚羽根１１ｂを放射状に突出させて設けたもので、前記脚羽根１１ｂ先端にキャスター１１ｃをそれぞれ設けている。前記脚支柱１２は、ガススプリングを主体に構成されたもので、上下方向に弾性的に伸縮し、所望位置でロックすることができるようにした通常のものである。
【００１６】
前記支持基部２は、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる図示しない傾動反力発生機構とを具備してなる。前記傾動反力発生機構は、コイルスプリングやガススプリング等を用いた通常のものであるため、説明を省略する。
【００１７】
前記座受３は、前記座４を保持するシェル状のもので、その前端側が前記支持基部２に前後動可能に取り付けられているとともに、その後端側が前記背支持体５の基端部に支持されている。
【００１８】
前記背支持体５は、前記支持基部２の主軸２２に後傾動作可能に支持された背支桿５１と、この背支桿５１の上端部に取り付けられた弾性横桿５２とを具備してなる。前記背支桿５１は、基端部を前記支持基部２に取り付けた下部背フレーム５１ｂと、この下部背フレーム５１ｂの先端に結合した上部背フレーム５１ａとを備えている。前記下部背フレーム５１ｂは、金属製のもので、その外側がカバー５３により覆われている。そのカバー５３の外面は、前記上部背フレーム５１ａの外面に連続するように位置づけられている。前記上部背フレーム５１ａは、合成樹脂により一体成形されたもので、その上部を二股に分岐させて分岐桿部５１ａ２を形成している。この分岐桿部５１ａ２は、略直線状に起立している。前記弾性横桿５２は、背支桿５１とは独立した付け替え可能な部材である。また、この弾性横桿５２は、中間部二箇所を前記背支桿５１の頂部、さらに具体的には各分岐桿部５１ａ２の頂部に設けた取付部接続部５１ａ２１に枢軸たる取付軸５１ａ２２を介して支持させた板ばね状のもので、その両端部で前記背凭れ６を支えている。この弾性横桿５２は、具体的には、中間部二箇所に設けてなるとともに、前記取付部接続部５１ａ２１にそれぞれ係り合わせてなる左右１対の取付部５２ｂと、前記各取付部５２ｂから左右にそれぞれ延出させて設けた左右１対のアーム部５２ａと、前記左右の取付部５２ｂ間を弾性的に連結する連結部５２ｃとを一体に有する合成樹脂製のものである。また、前記接続部５２ｂには前記取付軸５１ａ２２を挿通させるための軸挿通孔５２ｂ１を設けているとともに、この取付軸５１ａ２２を各分岐桿部５１ａ２の取付部接続部５１ａ２１の下方からねじ部材５１ａ２６により各分岐桿部５１ａ２に取り付けている。ここで、各分岐桿部５１ａ２の上端面には凹み領域５１ａ２３を設けていて、前記取付軸５１ａ２２はこの凹み領域５１ａ２３内に配している。また、この取付軸５１ａ２２の上端には、後述するハンガー９等のオプション部材を取り付け可能にすべく、雌ねじ穴５１ａ２５を設けている。そして、通常はこの取付軸５１ａ２２を隠蔽すべく、図４に示すようにカバー部材５１ａ２４を装着している。このカバー部材５１ａ２４は、着脱可能である。
【００１９】
前記背凭れ６は、背板６１を主体に構成されたものである。前記背板６１は、背板本体６１ａとこの背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレーム５１ｂに取り付けている。前記背板本体６１ａは、合成樹脂により作られたもので、孔６１ｄを有しない周縁枠部６１ａ１と、この周縁枠部６１ａ１に囲まれた中間面部６１ａ２とを具備してなる。前記中間面部６１ａ２は、複数の孔６１ｄを設けた樹脂メッシュ領域Ｍと、孔６１ｄを有しない樹脂シェル領域Ｓとを備えたもので、その樹脂メッシュ領域Ｍと樹脂シェル領域Ｓとを交互に配置している。前記周縁枠部６１ａ１の前面と前記中間面部６１ａ２との境界には、段部６１ａ３が形成されている。
【００２０】
また、この椅子１００は、着座者の肘を凭れ掛けるための肘当て１０２と、先端にこの肘当て１０２を左右方向にスライド可能に支持するとともに基端を前記座受３に接続してなる肘支柱１０１とを有する肘掛け１０をさらに具備する。
【００２１】
しかして、この椅子１００は、前記図１〜図３、及び図５に示すように、前記背支桿５１に着脱可能に装着されるハンガー９をさらに具備する。
【００２２】
このハンガー９には、前記両分岐桿部５１ａ２の頂部間に架設されるベース９１と、このベース９１の前記各分岐桿部５１ａ２に対して幅方向にオフセットした部位に起立させて設けた支柱９２と、前記支柱９２に支持されたハンガー本体９３とを備えている。
【００２３】
前記ベース９１は、前記両分岐桿部５１ａ２の頂部に載せられるベース本体９１ａと、ベース本体９１ａから下方に延伸して設けられ前記各分岐桿部５１ａ２の背面に衝き当たる後傾抑止片９１ｂとを備えている。
【００２４】
より具体的には、前記ベース本体９１ａは、前記背支桿５１の両分岐桿部５１ａ２の上端間に架設してなり、左右両端部を取付具、例えば雄ねじ部材９４を用いて両分岐桿部５１ａ２にそれぞれ取り付けている。
【００２５】
一方、前記後傾抑止片９１ｂは、ベース本体９１ａの左右両端部の後端部から下方に延伸させて設けている。
【００２６】
また、このベース９１は、図５に示すように、弾性横桿５２を取り付けるための前記取付軸５１ａ２２を利用して前記両分岐桿部５１ａ２の頂部に取り付けるようにしている。具体的には、このベース９１のベース本体９１ａの左右両端部において前記取付軸５１ａ２２の上端部に設けた雌ねじ孔５１ａ２５と重合する位置にねじ挿通孔９１ａ１を設けている。そして、これら雌ねじ孔５１ａ２５及びねじ挿通孔９１ａ１を重合させた状態で、取付具たる雄ねじ部材９４を前記雌ねじ孔５１ａ２５にねじ止めすることにより、ベース９１のベース本体９１ａを前記両分岐桿部５１ａ２の上端間に架設するようにしている。さらに本実施形態では、ベース本体９１ａのねじ挿通孔９１ａ１を囲む領域にカバー部材５１ａ２４を装着可能な凹み領域９１ａ２を設けている。このカバー部材５１ａ２４は、このハンガー９を取り付ける際に、前記両分岐桿部５１ａ２の上端の凹み領域５１ａ２３から取り外してハンガー９側の凹み領域９１ａ２に装着するようにしている。さらに、前記ねじ挿通孔９１ａ１の上端部には、雄ねじ部材９４の頭部を収納させるべく座繰り部９１ａ３を設けている。加えて、ベース本体９１ａの下面には、前記両分岐桿部５１ａ２の上端の凹み領域５１ａ２３に係り合うことによりハンガー９の両分岐桿部５１ａ２に対する位置決めが可能な突起９１ａ４を設けている。
【００２７】
前記支柱９２は、本実施形態では、前記各分岐桿部５１ａ２から内方すなわち椅子１００の幅方向中央寄りに偏位させた位置に左右１対に設けている。また、この支柱９２は、前記分岐桿部５１ａ２に対して後傾する姿勢をとる。すなわち、この支柱９２の上端は前記分岐桿部５１ａ２の上端より後方に位置する。
【００２８】
そして、前記ハンガー本体９３は、この椅子１００の幅方向に延伸し、前記支柱９２に下方から支持させてなる。
【００２９】
このハンガー９の前記背支桿５１への装着は、以下の手順により行う。
【００３０】
まず、図４に示す状態から、前記分岐桿部５１ａ２の頂部のカバー体５１ａ２４を取り外し、前記分岐桿部５１ａ２の頂部に位置するハンガー取付部、具体的には前記取付軸５１ａ２２の上端部の雌ねじ孔５１ａ２５を露出させる。次いで、ベース本体９１ａの下面の突起９１ａ４と前記両分岐桿部５１ａ２の上端の凹み領域５１ａ２３とを係り合せてハンガー９の両分岐桿部５１ａ２に対する位置決めを行い、前記雌ねじ孔５１ａ２５とベース９１の左右両端部のねじ挿通孔９１ａ１とを重合させる。そして、雄ねじ部材９４を前記ねじ挿通孔９１ａ１に挿通させ、図５に示すように前記雌ねじ孔５１ａ２５にねじ止めし、前記カバー部材５１ａ２４をベース本体９１ａの凹み領域９１ａ２に装着する。
【００３１】
ここで、ハンガー本体９３に衣類を掛けた際には、支柱９２とベース９１との境界を支点として前記後傾抑止片９１ｂが前方に移動する方向にベース９１が回転する作用を受けるが、前記後傾抑止片９１ｂが上述したように各分岐桿部５１ａ２の背面に衝き当たるようにしているので、この後傾抑止片９１ｂはこれ以上前方に移動せず、従ってハンガー９は姿勢を維持する。
【００３２】
また、このハンガー９の取り外しは、前段で述べたハンガー９の装着と逆の操作により行う。
【００３３】
以上に述べたように、本実施形態に係る椅子のハンガー９の構成によれば、前記ベース９１の前記各分岐桿部５１ａ２に対してオフセットした部位に支柱９２を起立させて設けているので、前記両分岐桿部５１ａ２の頂部の真上からベース９１にアクセスすべく、この領域に前記両分岐桿部５１ａ２と該ベース９１とを接続するための取付部、すなわちベース９１の左右両端のねじ挿通孔９１ａ１及び前記雌ねじ孔５１ａ２５を設け、上方から雄ねじ部材９４を前記雌ねじ孔５１ａ２５にねじ止めすることによりハンガー９の取り付け作業を行うことができる。すなわち、このハンガー９の取り付け作業を容易に行うことができる。また、このようなハンガー９の設計の自由度も確保できる。
【００３４】
また、前記ベース９１が、前記両分岐桿部５１ａ２の頂部に載せられるベース本体９１ａと、ベース本体９１ａから下方に延伸して設けられ前記各分岐桿部５１ａ２の背面に衝き当たる後傾抑止片９１ｂとを備えたものであり、前記ベース本体９１ａが前記背支桿５１の両分岐桿部５１ａ２に取付具たる雄ねじ部材９４を介して取り付けられているので、上述したように、ハンガー本体９３に衣類を掛けた場合に衣類の荷重によりハンガー９の支柱９２が後傾する作用を受けた際に前記後傾抑止片９１ｂが各分岐桿部５１ａ２の背面に衝き当たるので、ハンガー９の後傾を防いでハンガー９の姿勢を維持できる。すなわち、このようなハンガー９により衣類を安定して保持できる。
【００３５】
さらに、前記背支桿５１の両分岐桿部５１ａ２が略直線状に起立する形態をなしており、前記ハンガー９の支柱９２を前記分岐桿部５１ａ２に対して後傾させてあるので、このようなハンガー９を安定して背支桿５１に取り付けるようにしつつ、ハンガー本体９３を背支桿５１から後方にオフセットした状態に取り付けることができる。
【００３６】
そして、前記背支桿５１の両分岐桿部５１ａ２に弾性横桿５２の中間部二箇所を取付軸５１ａ２２を用いて取り付け、この弾性横桿５２を介して背板６１を前記背支桿５１に支持させるようにしているとともに、前記各取付軸５１ａ２２の上端の雌ねじ穴５１ａ２５を前記各分岐桿部５１ａ２の頂部にそれぞれ露出させ得るように構成し、この取付軸５１ａ２２を利用して前記ハンガー９のベース９１を前記両分岐桿部５１ａ２に取り付けるようにしているので、ハンガー９の取り付けをより容易に行うことができる。
【００３７】
加えて、ハンガー９のベース９１の下面に、前記両分岐桿部５１ａ２の上端の凹み領域５１ａ２３に係り合うことによりハンガー９の両分岐桿部５１ａ２に対する位置決めが可能な突起９１ａ４を設けているので、ハンガー９の両分岐桿部５１ａ２に対する取り付け作業を容易に行うことができる。
【００３８】
なお、本発明は以上に述べた実施形態に限られない。
【００３９】
例えば、ハンガーの支柱は、上述した実施形態では左右に対をなして２本設けたが、支柱を１本のみ設けるようにしてももちろんよい。
【００４０】
また、ベースに後傾抑止片を設ける代わりに、例えば、ベースの両端部と各分岐桿部とを、それぞれ前後方向に離間させて配置した２本以上のねじにより接続するようにする態様や、各分岐桿部の上端に設けた凹部とベースの両端部から下方に延伸させて設けた突起とを係わり合わせるようにする態様を採用してもよい。
【００４１】
さらに、背支桿の両分岐桿部を後上方に向かって傾斜させるとともに、ハンガーの支柱がこの分岐桿部と同様の傾斜を有する態様を採用してもよい。
【００４２】
そして、弾性横桿は省略してももちろんよく、また、合成樹脂製のものに替えて、例えば弾性を有する金属製のものを採用してもよい。
【００４３】
加えて、上述した実施形態ではハンガーの支柱を各分岐桿部に対して幅方向にオフセットした部位に起立させて設けているが、ハンガーの支柱は、各分岐桿部に対して前後方向にオフセットした部位や、幅方向及び前後方向にオフセットした部位に起立させて設けてももちろんよい。
【００４４】
その他、本発明の趣旨を損ねない範囲で種々に変更してよい。
【図面の簡単な説明】
【００４５】
【図１】本発明の一実施形態に係る椅子の分解斜視図。
【図２】同実施形態に係る椅子の側面図。
【図３】同実施形態に係る椅子の背面図。
【図４】同実施形態に係る椅子のハンガーを取り付けない状態の分岐桿部と弾性横桿のとの接合部を示す側断面図。
【図５】同実施形態に係る椅子のハンガーを取り付けた状態の分岐桿部と弾性横桿のとの接合部を示す側断面図。
【符号の説明】
【００４６】
１００…椅子
５１…背支桿
５１ａ２…分岐桿部
９…ハンガー
９１…ベース
９２…支柱
９３…ハンガー本体
【図１】
2010063824.tif 000003
【図２】
2010063824.tif 000004
【図３】
2010063824.tif 000005
【図４】
2010063824.tif 000006
【図５】
2010063824.tif 000007